(57)【要約】      （修正有）【課題】熱風乾燥機を止めずに、乾燥機の開閉扉の開閉を繰り返せる装置と送風方法を提供する。【解決手段】筐体１を一方部屋１００・他方部屋１０１で構成し、一方部屋１００に熱風生成部とバイパス通路を配備し、他方部屋１０１にエビラ用の棚２３を配備し、一方部屋１００・他方部屋１０１を仕切る内壁３に第一連絡通路３００・第二連結通路を形成し、筐体１の開閉扉で制御する第一・二扉とを設け、第一扉で第二連結通路を開閉し、また、第二扉でバイパス通路を開閉し、熱風Ａ、及び／又は、吸込み・降温空気の制御をする。空気の温度管理、乾燥の効率化が図れる。【選択図】図７
2019184081.tif 000002
【特許請求の範囲】
【請求項１】
筐体は、ダンパー付きの吸込み口を備えた一方部屋、及びダンパー付きの排気口を備えた他方部屋を備えており、この一方部屋と他方部屋とを区画する内壁の上下に第一・第二連結通路を形成し、この第二連結通路には第一扉を設け、この第一扉は、他方部屋の開閉扉とリンク機構で連動される構造とし、この開閉扉の開放時において、前記第二連結通路を、前記第一扉で閉塞可能とし、
前記一方部屋にバイパス通路を形成し、このバイパス通路は、第二扉で開閉し、この第二扉は、前記第一扉の開放時に、前記バイパス通路を閉塞可能とし、
前記一方部屋に熱風生成部を形成し、この熱風生成部は、ファン付きバーナ、及び熱交換筒、並びに空気・熱風流動を司るファンを備え、
前記他方部屋に、被処理物を収容したエビラをセット、
する構成とした熱風乾燥機。
【請求項２】
前記吸込み口から前記熱風生成部に導入された吸込み空気は、この熱風生成部で熱風に変換された後、前記第二連結通路から、前記他方部屋に到り、この他方部屋で働きを終えて降温した空気は、前記他方部屋の排気口から前記筐体外に排気可能とする構成とした請求項１に記載の熱風乾燥機。
【請求項３】
前記バイパス通路は、前記一方部屋の一方側に前記熱交換筒に併設するように設け、上下が開口し、この下の開口を、前記第二扉で、開閉可能とする構成とした請求項１に記載の熱風乾燥機。
【請求項４】
前記第二扉を、前記リンク機構を介して、前記第一扉の開放時に、前記バイパス通路を閉塞する構成とした請求項１に記載の熱風乾燥機。
【請求項５】
前記リンク機構は、前記筐体の柱に設けたブラケットに貫設した第一杆と、この第一杆に設けた第一リンクと、この第一リンクに一端を固止し、その他端を、前記第二扉に固止した第二杆と、この第二杆に枢支した第二リンクと、この第二リンクに設けた第三杆と、この第三杆に第三リンクを介して設けた第四杆と、を備え、この第四杆を前記第一扉の側面に固止する構成とした請求項１に記載の熱風乾燥機。
【請求項６】
前記筐体は、総ステンレス素材で構成した請求項１に記載の熱風乾燥機。
【請求項７】
筐体を、ダンパー付きの吸込み口を備えた一方部屋、及びダンパー付きの排気口を備えた他方部屋で区画形成して、この一方部屋と他方部屋とを区画する内壁の上下に第一・第二連結通路を形成することで、前記一方部屋に導入した空気を、この一方部屋で熱気に変換し、前記第二連結通路を介して前記他方部屋に導入し、この熱気を当てて、この他方部屋の被乾燥物を乾燥処理し、この乾燥処理により降温した降温熱気を、前記排気口より、外部に排気するイ工程、
前記他方部屋を開閉扉で開放する時に、前記第二連結通路を第二扉で閉塞し、併せて、一方部屋にバイパス通路を形成し、このバイパス通路を利用して、前記一方部屋の熱気を、このバイパス通路内を循環させて、この熱風、及び／又は、この一方部屋に在るバーナ、及び／又は、熱交換機の温度低下を回避するロ工程、を備えることを特徴とする構成とした熱風乾燥機の送風方法。
【請求項８】
前記熱風は、他方部屋における乾燥処理での降温を除いて、前記バイパス通路を循環移行することで、一定の熱さを確保することを可能とした請求項７に記載の熱風乾燥機の送風方法。
【発明の詳細な説明】
【技術分野】
【０００１】
本発明は、熱風乾燥機に関する。その詳細は、椎茸、その他の農産物、等の作物、又は魚介物とか、その他の加工物（加工品）等の食品（被処理物）を乾燥する、主として、食品用の熱風乾燥機とその方法である。
【背景技術】
【０００２】
通常の熱風乾燥機において、稼働中、所謂、乾燥中には、頻繁に開閉扉（本実施例で述べる、他方部屋の開閉を司る開閉扉）の開閉を繰り返すことはない。しかしながら、乾物類では，乾燥途中にエビラ（トレー）を取り出し、このエビラ内の乾物を撹拌しなくてはならない場合がある、特に味付けをした後の乾物では、くっ付き易い。くっ付きが生ずることで、形・味の劣化、品質低下等を招来し、結果として、例えば、価格低下の要因となる。従って、この種の所作は、必須事項である。
【０００３】
このような状況において、熱風乾燥機の開閉扉を開けると、熱風降温を招くとともに、降温回復を意図して、着火と燃焼とを繰り返すことになる。熱交換筒（熱発生炉）・バーナの高熱化とか、燃料ロスの発生とかを生じ、最悪の場合には、熱交換筒・ファンバーナ等を、急冷、及び／又は、切替え頻度、又は熱風等で壊す可能性がある。
【０００４】
また、前述の諸悪発生を回避するために、例えば、本来は開閉扉の開放は、バーナを切り、及び/又は、熱交換筒等（熱風生成部）の温度を下げてから、行う必要がある。しかしながら、このような所作を行うと、乾物（被処理物）の冷えと、この乾物の冷えによる、品質劣化とか、効率悪化とかを招くことになる。
【０００５】
以上の現状を踏まえて、先行技術を検討する。熱風乾燥機において、開閉扉の開閉と、熱風、空気等の流れを制御する発明は見当たらなかった。一般的な、熱風の吸排気に関しては、特開２００６−３３７００３号公報に記載された文献がある（文献（１）とする）。この文献（１）は、「乾燥機および乾燥制御方法」であって、多数の乾燥室ユニットを設置可能な構造であって、吸排気制御を、上下の通路と、この通路に設けたダンパーで制御する構造と方法とが開示されている。熱風と降温熱風の流れに関しては、段落００４１と、図７〜８を基にして、次のように説明がある。即ち、図７に示す乾燥初期の段階では、各乾燥室ユニット（１２）の排気口（３４から全量機外へ排出し、図８に示す乾燥中期の段階では、熱風戻し口（３６）、熱風循環口（３５）を通り、熱風発生装置（１１）との間で全量の１／２を循環させる。図９に示す乾燥後期の段階では全循環させる。しかし、このような熱風の流れと制御に関しては一般的であって、本発明が意図する後述する構造と、熱風制御機構ではない。
【０００６】
また、分野を限定せず、全般の分野において、先行技術を挙げると、特開２０１２−２１１７１１号公報に記載された文献がある（文献（２）とする）。ドラフトチャンバーの排気装置であって、段落００２４によれば、「ドラフトチャンバー（１）が備える排気装置は、開閉用ダンパー（２３）と前扉（１６）との間に設けた開閉連動機構（４０）を備えている。この開閉連動機構（４０）によって、開閉用ダンパー（２３）の開閉動作が前扉（１６）の開閉動作に連動するようになっており、かつ、開閉用ダンパー（２３）による排気ダクト（２０）の開度が前扉（１６）の開閉による開口部（１５）の開度と等しい割合で変化するように設定されている。これにより、前扉（１６）の開度に関わらず、処理室（５）内の排気による風速を一定に保つことができる。」という記載がある。しかし、この開閉連動機構（４０）は、開閉用ダンパー（２３）と排気ダクト（２０）との動作が連動することに留まり、前記文献（１）と同様に、本発明が意図する後述する構造と、熱風制御機構ではない。
【０００７】
【特許文献１】特開２００６−３３７００３号公報
【特許文献２】特開２０１２−２１１７１１号公報
【発明の概要】
【発明が解決しようとする課題】
【０００８】
上記に鑑み、本発明は、熱風乾燥機を止めずに開閉扉の開閉を繰り返せる装置と送風方法を提案する。即ち、（イ）乾燥中は他方部屋（乾燥室）に熱風を送り、開閉扉が開いた瞬間、一方部屋（機械室＝熱発生炉、即ち、バーナ、及び熱交換筒等）中だけで（バイパス通路）循環させる機構である。（ロ）利点は、１．急冷・ＯＮ／ＯＦＦ切換え等による機械の損傷がない。２．被処理物に冷気が入らないため、被処理物品温を維持できる。３．開閉扉を閉めた瞬間から、必要な熱風が得られる。４．乾燥時間が短縮できる。５．開閉扉の開閉を気にすることなく乾燥が行える。（ハ）構造（機構）のポイントは、６．バイパス通路を設けたことで、例えば、開閉扉を開放した瞬間に、第二扉の遮断でバイパス通路を形成できる送風（制御）方法であり、開閉扉の閉塞時には、他方部屋でのＯＮ／ＯＦＦ制御を、開閉扉の開放時には、一方部屋でのＯＮ／ＯＦＦ制御を可能とする構造である。
【課題を解決するための手段】
【０００９】
本発明は、前述の（イ）〜（ハ）を達成し、かつ従来にない特徴を発揮するために、請求項１〜請求項８の発明を開示する。
【発明の効果】
【００１０】
請求項１の発明は、筐体は、ダンパー付きの吸込み口を備えた一方部屋、及びダンパー付きの排気口を備えた他方部屋を備えており、一方部屋と他方部屋とを区画する内壁の上下に第一・第二連結通路を形成し、第二連結通路には第一扉を設け、第一扉は、他方部屋の開閉扉とリンク機構で連動される構造とし、開閉扉の開放時において、第二連結通路を、第一扉で閉塞可能とし、
一方部屋にバイパス通路を形成し、バイパス通路は、第二扉で開閉し、第二扉は、第一扉の開放時に、バイパス通路を閉塞可能とし、
一方部屋に熱風生成部を形成し、熱風生成部は、ファン付きバーナ、及び熱交換筒、並びに空気・熱風流動を司るファンを備え、
他方部屋に、被処理物を収容したエビラをセット、
する熱風乾燥機である。
【００１１】
これにより、請求項１では、（イ）乾燥中は他方部屋に熱風を送り、開閉扉が開いた瞬間、一方部屋中だけの状態で循環させる機構となり、（ハ）構造のポイントは、６．バイパス通路を設けたことで、例えば、開閉扉を開放した瞬間に、第二扉の遮断でバイパス通路を形成できる送風機構であり、開閉扉閉塞時には、他方部屋でのＯＮ／ＯＦＦ制御を、開閉扉開放時には、一方部屋でのＯＮ／ＯＦＦ制御を可能とする。その効果は、（ロ）１．急冷・ＯＮ／ＯＦＦ切換え等による機械の損傷がない。２．被処理物に冷気が入らないため、被処理物品温を維持できる。３．開閉扉を閉めた瞬間から、必要な熱風が得られる。４．乾燥時間が短縮できる。５．開閉扉の開閉を気にすることなく乾燥が行える。ことである。
【００１２】
請求項２の発明では、吸込み口から熱風生成部に導入された吸込み空気は、熱風生成部で熱風に変換された後、第二連結通路から、他方部屋に到り、他方部屋で働きを終えて降温した空気は、他方部屋の排気口から筐体外に排気可能とする熱風乾燥機である。
【００１３】
これにより、請求項２では、前述の請求項１と、同じ機構、構造としての特徴が確保できることと、又はそれによる効果が期待できる。
【００１４】
請求項３の発明では、バイパス通路は、一方部屋の一方側に熱交換筒に併設するように設け、上下が開口し、下の開口を、第二扉で、開閉可能とする構成とした熱風乾燥機である。
【００１５】
これにより、請求項３では、請求項１・２の機構と効果とを達成できるバイパス通路の構造を提案できる。
【００１６】
請求項４の発明では、第二扉を、リンク機構を介して、第一扉の開放時に、バイパス通路を閉塞する構成とした熱風乾燥機である。
【００１７】
これにより、請求項４では、請求項１・２の機構と効果とを達成できる第一・第二扉と、両者を繋ぐリンク機構の構造を提案できる。
【００１８】
請求項５の発明では、リンク機構は、筐体の柱に設けたブラケットに貫設した第一杆と、第一杆に設けた第一リンクと、第一リンクに一端を固止し、他端を、第二扉に固止した第二杆と、第二杆に枢支した第二リンクと、第二リンクに設けた第三杆と、第三杆に第三リンクを介して設けた第四杆と、を備え、第四杆を第一扉の側面に固止する熱風乾燥機である。
【００１９】
これにより、請求項５では、請求項１・２の機構と効果とを達成できるリンク機構の構造を提案できる。
【００２０】
請求項６の発明では、筐体は、総ステンレス素材で構成した熱風乾燥機である。
【００２１】
これにより、請求項６では、請求項１・２の機構と効果とを達成できる特定した素材を提案できる。
【００２２】
請求項７の発明では、筐体を、ダンパー付きの吸込み口を備えた一方部屋、及びダンパー付きの排気口を備えた他方部屋で区画形成して、一方部屋と他方部屋とを区画する内壁の上下に第一・第二連結通路を形成することで、一方部屋に導入した空気を、一方部屋で熱気に変換し、第二連結通路を介して他方部屋に導入し、熱気を当てて、他方部屋の被乾燥物を乾燥処理し、乾燥処理により降温した降温熱気を、排気口より、外部に排気するイ工程、
他方部屋を開閉扉で開放する時に、第二連結通路を第二扉で閉塞し、併せて、一方部屋にバイパス通路を形成し、バイパス通路を利用して、一方部屋の熱気を、バイパス通路内を循環させて、熱風、及び／又は、一方部屋に在るバーナ、及び／又は、熱交換機の温度低下を回避するロ工程、を備える熱風乾燥機の送風方法である。
【００２３】
これにより、請求項７では、（イ）乾燥中は他方部屋に熱風を送り、開閉扉が開いた瞬間、一方部屋中だけの状態で循環させる機構となり、（ハ）構造のポイントは、６．バイパス通路を設けたことで、例えば、開閉扉を開放した瞬間に、第二扉の遮断でバイパス通路を形成できる送風方法であり、開閉扉閉塞時には、他方部屋でのＯＮ／ＯＦＦ制御を、開閉扉開放時には、一方部屋でのＯＮ／ＯＦＦ制御を可能とする。その効果は、（ロ）１．急冷・ＯＮ／ＯＦＦ切換え等による機械の損傷がない。２．被処理物に冷気が入らないため、被処理物品温を維持できる。３．開閉扉を閉めた瞬間から、必要な熱風が得られる。４．乾燥時間が短縮できる。５．開閉扉の開閉を気にすることなく乾燥が行える。ことである。
【００２４】
請求項８の発明では、熱風は、他方部屋における乾燥処理での降温を除いて、バイパス通路を循環移行することで、一定の熱さを確保することを可能とした熱風乾燥機の送風方法である。
【００２５】
これにより、請求項８では、請求項７の機構と効果とを達成できるバイパス通路を循環移行する送風方法を提案できる。
【図面の簡単な説明】
【００２６】
【図１】本発明の全体を示した俯瞰正面斜視図
【図２】図１において、開閉扉を解放し、内部を透視し、他方部屋を示した俯瞰正面斜視図
【図３】図１において、開閉扉を解放し、内部を全体透視して示した俯瞰正面斜視図
【図４】図１において、内部を透視し、一方部屋を示した俯瞰正面斜視図
【図５】図４に示した一方部屋を抽出し、その内部を透視して示した俯瞰正面斜視図
【図６】図４に示した一方部屋を抽出し、その内部を示した俯瞰正面斜視図本発明の外壁と正面扉を開放し、ファンの収容状態を示した一部切欠きの俯瞰正面斜視図
【図７】一方部屋から他方部屋に亙って、吸込み空気と熱風、及び降温した空気の流れを説明する縦方向に切断し、内部の要部を示したロ工程を説明する俯瞰正面斜視図
【図８】一方部屋とバイパス通路を流れる熱風を説明する縦方向に切断し、内部の要部を示した一部欠截のロ工程を説明する俯瞰正面斜視図
【図９】図８において、筐体の底部を拡大し、底部に備えた部品と、第一・第二扉と、リンク機構とを示した俯瞰正面斜視図
【図１０】図９で示した第一・第二扉と、リンク機構とを示した一部欠截の俯瞰正面斜視図
【図１１】図９で示した第一・第二扉及びリンク機構を動作させ、第二連結通路を解放しバイパス通路を閉塞した状態の俯瞰正面斜視図
【図１２】図９で示した第一・第二扉により、第二連結通路を閉塞しバイパス通路を解放した状態の俯瞰正面斜視図
【発明を実施するための形態】
【００２７】
１はステンレス製でなる筐体であり、後述する他方部屋を開放する開閉扉２を備える。筐体１は第一内壁３により一方部屋１００と他方部屋１０１とに区分するとともに、内壁３の上下を開口して第一連結通路３００と、第二連結通路３０１とを形成する。この第一連結通路３００と第二連結通路３０１は、共に一方部屋１００と他方部屋１０１とに繋がる。即ち、第二連結通路３０１は熱風Ａ（高温空気）、第一連結通路３００は降温空気Ｂの通路となる。図中Ｃは吸込み空気を示す。
【００２８】
尚、一方部屋１００には、バイパス通路５が形成されるが、この例では、一方部屋１００の一方側で、一方部屋１００に設けた、後述する熱交換筒に併設するように設けた箱型ケース５００であり、バイパス通路５は、望ましくは、筐体１に設けた開閉扉２と同じ方向１ａの横並びであって、一方部屋１００の内部１００ａに設けられる。また、このバイパス通路５の上下は開口５ａ、５ｂであり、上の開口５ａは、常時、開口であり、下の開口５ｂは第二扉６で開閉する。
【００２９】
この一方部屋１００には、吸込み空気Ｃ（取り入れた空気）を熱風Ｂに変換する、又は吸込み・搬送するための機器が備えられており、例えば、内部１００ａには、上から順に、熱風生成部となる吸込み筒７、熱交換筒８と、ファン付きバーナ９と、吸込み筒７に設けたファン１０と、を備える。従って、吸込み用の開口（吸込み口）１００ｂからの吸込み空気Ｃは、吸込み筒７→熱交換筒８→第二連結通路３０１に導くとともに、熱交換筒８との接触で熱風Ａに変換する。尚、熱交換筒８はバーナ９で熱せられるとともに、吸込み空気Ｃを熱風Ａに変換する。また、熱交換筒８の下側にある空間（周辺隙間）と第二連結通路３０１とは繋がっている。吸込み筒７は、一方部屋１００の天井に開口する吸込み口１００ｂに設けた吸込み筒１１に間接的に繋がり、かつ前述の如く、吸込み空気Ｃを、吸込み筒７に導く構造である。図中１２は、吸込み筒１１に設けたダンパーである。
【００３０】
次に他方部屋１０１は、エビラ等の被処理物、又は荷台等を出し入れできる開口１０１ａを備えており、この開口１０１ａには開閉扉２を配備し、この開閉扉２で、他方部屋１０１の内部１０１ｂを開閉する。そして、内部１０１の側面の壁面１０１ｃと対峙する内壁３の壁面３ａには、エビラ支持用の棚２２、２３が多数個設けられている。この棚２２、２３の間にエビラが差込み支持される。また、この棚２２、２３は、複数本を単位として、壁面１０１ｃ・３ａに着脱自在に配備される。従って、清掃とか損傷等の際に有益である。この他方部屋１０１の天井には、開口１０１ｄを設け、この開口１０１ｄに排気筒１０１ｅとダンパー１０１ｆとを配備する。従って降温した空気Ｂを、ダンパー１０１ｆを開放した状態で外部に排気する。
【００３１】
また、内壁３の第二連結通路３０１と、バイパス通路５とは、第一扉３０と第二扉６で開閉される。この開閉は、例えば、次のようなリンク機構の構造とする。内壁３、又は柱３２に固止したブラケット３３と、このブラケット３３に貫設し、かつ他方部屋１０１の内部１０１ｂに向った枝杆３４ａを備えた第一杆３４と、この第一杆３４を支持する（枢支する）第一リンク３５と、第一リンク３５に一端を支持し、かつ第二扉６を架承する第二杆３６と、この第二杆３６に支持する第二リンク３７と、この第二リンク３７と第三リンク３８とを中継する第三杆３９と、前記第三リンク３８を第二扉６に繋ぐ第四杆４０とで構成される。
【００３２】
図中Ｄは、燃焼ガスを排気する煙突である。
【００３３】
リンク機構の動きを説明すると、図１２に示した、バイパス通路５が開放されており、第二連結通路３０１が第一扉３０によって閉塞されている（開閉扉２が開いている）状態から、開閉扉２を閉めると、第一杆３４が開閉扉２でイ方向に押圧されて、枝杆３４ａと第一リンク３５、及び第二リンク３７が共に矢視ロ方向に回転する。この第一リンク３５、及び第二リンク３７のロ方向への回転により、矢視ロ方向に、第二扉６が回転し、バイパス通路５は、図１２の開放状態から、図１１の閉塞状態となる。そして、この第二リンク３７の回転は、第三杆３９をハ方向に押し下げる。この押し下げによって、第三リンク３８がニ方向の反時計方向に回転する。第三リンク３８の反時計方向の回転によって、この第三リンク３８に支持した第四杆４０もニ方向の反時計方向に回転する。この回転により、当該第四杆４０に支持されている第一扉３０もニ方向の反時計方向に回転する。そして、この第一扉３０の回転で、図１１の如く、第二連結通路３０１が開放される。
【００３４】
次に、図７と図８とにより、空気の流れを説明する。図７はイ工程を説明するものであり、吸込み空気Ｃ、熱風Ａ、及び降温した空気Ｂの流れを説明する。少なくとも、一方部屋１００のダンパー１２を開放し、吸込み筒１１より吸込んだ吸込み空気Ｃ（外気）は、ファン１０の吸込み力を利用して、熱交換筒８（燃焼筒）に到り、熱交換により熱風Ａに変換される。この熱風Ａは、一方部屋１００の下側の空間より第二連結通路３０１を通り、他方部屋１０１の下側より上昇して、降温した空気Ｂとなり、他方部屋１０１の上側の第一連結通路３００より、再び熱交換筒８に到る。被処理物の乾燥工程である。この乾燥工程では、第二連結通路３０１は開放されており、バイパス通路５は、第二扉６で閉塞されている（図１１の状態である）。尚、他方部屋１０１のダンパー１０１ｆは開放であるが限定されない。
【００３５】
図８は、熱風Ａの流れ（循環）を説明する。ロ工程を説明するものであり、少なくとも、ダンパー１２、１０１ｇを閉塞、かつ一方部屋１００の吸込み口１００ｂと、他方部屋１０１の開口１０１ｅを閉塞し、筐体１を密封する。また、バイパス通路５の第二扉６を開放するとともに、内壁３の第二連結通路３０１を第一扉３０で閉塞する（図１２の状態である）。併せて、バイパス通路５を熱風Ａが循環できるように上下の開口５ａ、５ｂは開放する。従って、熱風Ａは、一方部屋１００の吸込み筒７→熱交換筒８を経由し、下の開口５ｂ→上の開口５ａという循環流れであり、熱風Ａの降温（熱量の低下）をなくし得る。即ち、熱エネルギーのロス発生を回避できる。尚、ファン１０の吸込み力は維持されている。
【００３６】
図８で示したバイパス通路５と熱交換筒８との一方部屋１００（機械室）における、熱風Ａのバイパス（循環）の流れは、熱風乾燥の各箇所の動作を止めずに、開閉扉２の開閉を繰り返せる方法であり、例えば、被処理物の乾燥中は、他方部屋１０１に熱風Ａを送り、開閉扉２を開いたとき（望ましくは、瞬間）に、熱風Ａは、機械室においてのみ循環させる機構である。
【００３７】
次のような利点がある。
【００３８】
１．急冷、及び／又は、ＯＮ／ＯＦＦの切替え（例えば、バーナ９等のＯＮ／ＯＦＦ）による機械室の機械の損傷がない。２．熱風Ａの降温防止と、省エネルギー達成が可能となる。３．開閉扉２を閉めた瞬間から、必要な熱風Ａが得られ、かつ速やかな乾燥ができる。４．時間短縮化と、品質確保ができる。５．開閉扉２の開閉を気にすることなく乾燥が行える。６．バイパス通路５への切り替え（乾燥と、乾燥停止と）が、開閉扉２の開閉動作で、自動に切り替わる。７．その他として、ダンパー１２、１０１ｆによる一方部屋１００と他方部屋１０１の密封度が確保できる。
【００３９】
前述した各実施例等は、本発明の好ましい一例の説明であり、各実施例とか図面に限定されない。従って、発明の趣旨の範囲において構成の一部を変更する構造とか、同じ特徴と効果を達成できる構造、等は、本発明の範疇である。
【符号の説明】
【００４０】
１  筐体
１ａ  方向
１００  一方部屋
１００ａ  内部
１００ｂ  開口（吸込み口）
１０１  他方部屋
１０１ａ  開口
１０１ｂ  内部
１０１ｃ  壁面
１０１ｄ  開口
１０１ｅ  排気筒
１０１ｆ  ダンパー
２  開閉扉
３  内壁
３ａ  壁面
３００  第一連結通路
３０１  第二連結通路
５  バイパス通路
５ａ  上の開口
５ｂ  下の開口
５００  ケース
６  第二扉
７  吸込み筒
８  熱交換筒
９  バーナ
１０  ファン
１１  吸込み筒
１２  ダンパー
２２  棚
２３  棚
３０  第一扉
３２  柱
３３  ブラケット
３４  第一杆
３４ａ  枝杆
３５  第一リンク
３６  第二杆
３７  第二リンク
３８  第三リンク
３９  第三杆
４０  第四杆
Ａ  熱風
Ｂ  降温した空気
Ｃ  吸込み空気
Ｄ  煙突
【図１】
2019184081.tif 000003
【図２】
2019184081.tif 000004
【図３】
2019184081.tif 000005
【図４】
2019184081.tif 000006
【図５】
2019184081.tif 000007
【図６】
2019184081.tif 000008
【図７】
2019184081.tif 000009
【図８】
2019184081.tif 000010
【図９】
2019184081.tif 000011
【図１０】
2019184081.tif 000012
【図１１】
2019184081.tif 000013
【図１２】
2019184081.tif 000014